(57)【要約】【課題】配管（ガス供給ダクト）から防虫ストレーナを取り外すことなく、防虫網の清掃をしたり、防虫網から虫類を除去したりすることができる下水処理場における脱臭設備の防虫装置を提供する。【解決手段】下水処理場からの臭気ガスを処理する脱臭塔４に対し、ガス供給ダクト３を通じて臭気ガスを供給する。ガス供給ダクト３は、途中に、脱臭ファン２、ミストセパレータ５、ダンパ７、伸縮ダクト６Ａ，６Ｂのほか、ケーシング１２に防虫網１３が取り付けられてなる防虫ストレーナ１１を備える。ケーシング１２は、本体ケーシング１２Ａと、この本体ケーシング１２Ａに接続され空気洗浄手段が設けられる洗浄ケーシング１２Ｂとを有する。本体ケーシング１２Ａの上部に、掃除機、ブラシなどの清掃具にて清掃可能である上部清掃口部１２Ａａを設け、下部に、防虫網１３にて進入を阻止された虫類を集積する収納箱部３２を設ける。【選択図】  図１
2005214378.tif 000002
【特許請求の範囲】
【請求項１】
臭気ガスを処理する脱臭塔に対し、下水処理場で発生する臭気ガスを、脱臭ファンを駆動することでガス供給ダクトを通じて供給する構成とされている下水処理場における脱臭設備の防虫装置であって、
前記ガス供給ダクトは、途中に、ケーシング内に防虫網が取り付けられてなる防虫ストレーナが設けられ、
前記防虫ストレーナのケーシングの上部に、掃除機、ブラシなどの清掃具にて前記防虫網を清掃可能である上部清掃口部が形成されていることを特徴とする下水処理場における脱臭設備の防虫装置。
【請求項２】
前記防虫ストレーナのケーシングに、洗浄ノズルを有する空気洗浄手段が設けられ、
この空気洗浄手段は、前記防虫網の下流側から圧縮空気を前記防虫網に吹き付けて洗浄する構成とされている請求項１記載の下水処理場における脱臭設備の防虫装置。
【請求項３】
前記防虫ストレーナは、前記ケーシングの下部に、前記防虫網にて捕集した虫類を集積する収納箱を有し、この収納箱が引き出し可能である請求項１又は２記載の下水処理場における脱臭設備の防虫装置。
【請求項４】
前記防虫ストレーナのケーシングは、一部又は全部が透明材料で形成され、この透明材料の部分を通じて前記ケーシング内の防虫網をケーシング外部から目視可能とされている請求項１〜３のいずれかに記載の下水処理場における脱臭設備の防虫装置。
【請求項５】
前記防虫網は、合成樹脂材料で形成され、前記防虫ストレーナのケーシングに交換可能に取り付けられている請求項１〜４のいずれかに記載の下水処理場における脱臭設備の防虫装置。
【請求項６】
前記防虫ストレーナのケーシングは、本体ケーシングと、この本体ケーシングに接続され前記空気洗浄手段が設けられる洗浄ケーシングとを有し、
前記本体ケーシングと洗浄ケーシングとの間であって前記洗浄ケーシング側に防虫網が取り付けられ、
前記本体ケーシングが前記ミストセパレータのケーシングと一体的に形成されている請求項２〜５のいずれかに記載の下水処理場における脱臭設備の防虫装置。
【発明の詳細な説明】
【技術分野】
【０００１】
本発明は、全国各地の下水処理場における脱臭設備の防虫装置に関するものである。
【背景技術】
【０００２】
従来より、下水処理場付近に脱臭設備が設けられ、その下水処理場から発生する臭気ガスを脱臭処理することが行われている。そのような脱臭設備１として、例えば図６に示すように、下水処理場で発生する臭気ガスを、脱臭ファン２を駆動することでガス供給ダクト３’を通じて、脱臭塔４の下部の取入口４ａに供給し、脱臭塔４内の活性炭層４ｂを下から上に向けて前記臭気ガスを通過させることで、活性炭層４ｂにて清浄化処理し、処理ガスを排出口４ｃを通じて外部に排出するように乾式に構成されたものが知られている。そして、ガス供給ダクト２には、脱臭ファン２のほか、臭気ガスに水を噴射してドレン水を下水処理場に戻すミストセパレータ５、伸縮ダクト６Ａ、伸縮ダクト６Ｂ、及びダンパ７などが設けられている。
【０００３】
ところで、従来の脱臭設備においては、防虫対策が施されていないので、下水処理場で発生する虫類が脱臭ガスと共に吸い込まれると、虫類がミストセパレータ５を通過してしまい、脱臭塔４の活性炭層４ｂの最下面に付着して（図６のＳ部分参照）、目詰まりを起こし、脱臭性能を低下させる原因となっている。そこで、脱臭性能を回復するために、前記脱臭塔内の活性炭最下面に付着した虫類を、脱臭塔４の下部点検口を開放し脱臭塔４内に作業者が入り、ほうき、掃除機などの清掃具を用いて作業者の人力によって清掃しているのが現状である。また、大量に虫類が付着し目詰まりが生じたときには、脱臭塔上部より活性炭を取り出し清掃する作業が必要であるが、そのような作業は、作業環境が悪いばかりでなく、脱臭設備を約６時間程度停止する必要もあった。
【０００４】
ところで、空気などの気体を装置内に導入する際に、虫類等の異物が設備内に侵入するのを回避するために、気体を装置内に導入する配管の途中に、ストレーナを設けることが知られている（例えば特許文献１，２）。
【特許文献１】特開平８−２４０２９６号公報（第２頁、第３頁及び図６、図７）
【特許文献２】実用新案登録第２５９２３３０号公報（段落０００９，００１３，００２７，００３４及び図５）
【発明の開示】
【発明が解決しようとする課題】
【０００５】
前述した特許文献１，２に記載のストレーナでは、配管に取り付けた状態で、清掃したり、集積した虫類を除去したりすることができない。そのため、虫類の発生が多い下水処理場において採用される脱臭設備には、そのまま用いることができない。
【０００６】
とくに、前述したような脱臭設備は、特許文献１，２に記載のものに比べて、ガスの流量が多く、防虫ストレーナも大きくなるので、配管を取り外すことなく、清掃したり、集積した虫類を除去したりしたいという要求が高い。
【０００７】
本発明は、防虫ストレーナを配管（ガス供給ダクト）から取り外さなくても、その防虫ストレーナの防虫網を清掃したり、捕集により集積した虫類を除去したりすることができる下水処理場における脱臭設備の防虫装置を提供することを目的とする。
【課題を解決するための手段】
【０００８】
請求項１の発明は、臭気ガスを処理する脱臭塔に対し、ガス供給ダクトを通じて下水処理場からの臭気ガスを供給する構成とされ、前記ガス供給ダクトが、途中に、脱臭ファン、ミストセパレータ、ダンパ、伸縮ダクトを有する下水処理場における脱臭設備の防虫装置であって、前記ガス供給ダクトが、途中に、ケーシング内に防虫網が取り付けられてなる防虫ストレーナが設けられ、前記防虫ストレーナのケーシングの上部に、掃除機、ブラシなどの清掃具にて前記防虫網を清掃可能である上部清掃口部が形成されていることを特徴とする。
【０００９】
このように、ガス供給ダクトの途中に、ケーシングに防虫網が取り付けられてなる防虫ストレーナを設けることで、防虫ストレーナを設けた部分で、脱臭塔への虫類の進入を未然に防止することができる。
【００１０】
このように、防虫ストレーナをガス供給ダクトの途中に設けることで、作業者による手作業の場合でも、約３０分程度で清掃作業が完了するので、脱臭設備の停止時間を大幅に短縮することができ、維持管理の向上になる。
【００１１】
それに加えて、防虫ストレーナのケーシングの上部に、防虫網を清掃可能である上部清掃口部を設けているので、防虫ストレーナをガス供給ダクトより取り外さなくても、ガス供給ダクトに取り付けられた状態のまま、防虫ストレーナの防虫網を清掃したり、捕集により集積した虫類を除去したりすることができる。
【００１２】
請求項２に記載のように、前記防虫ストレーナのケーシングに、洗浄ノズルを有する空気洗浄手段が設けられ、この空気洗浄手段は、前記防虫網の下流側から圧縮空気を前記防虫網に吹き付けて洗浄する構成とすることができる。
【００１３】
このようにすれば、防虫網に対し、前記防虫網の下流側から（洗浄ノズルからの）圧縮空気を吹き付けて適宜洗浄することができるので、防虫網の（虫類による）目詰まりを簡単に解消することができる。
【００１４】
請求項３に記載のように、前記防虫ストレーナは、前記ケーシングの下部に、前記防虫網にて捕集した虫類を集積する収納箱を有し、この収納箱が引き出し可能である構成とすることができる。
【００１５】
このようにすれば、防虫網で捕集された虫類は、重力によって落下するが、その落下した虫類は、下方に位置する収納箱に集積される。よって、防虫ストレーナを取り外すことなく、収納箱を引き出すことで、集積した虫類を簡単に除去することができる。
【００１６】
請求項４に記載のように、前記防虫ストレーナのケーシングは、一部又は全部が透明材料で形成され、この透明材料の部分を通じて前記ケーシング内の防虫網をケーシング外部から目視可能とされていることが望ましい。
【００１７】
このようにすれば、ケーシングの一部又は全部が透明材料（例えば、透明の塩化ビニル樹脂）で形成されているので、前記透明材料の部分を通じて、防虫網による虫類の捕集状況を、ケーシング外部からの目視により容易に把握することができる。
【００１８】
請求項５に記載のように、前記防虫網は、合成樹脂材料で形成され、前記防虫ストレーナのケーシングに交換可能に取り付けられていることが望ましい。
【００１９】
このようにすれば、防虫網は合成樹脂材料で形成されているので、安価であり、交換可能であるので、損傷した場合や劣化した場合にも短時間で交換することができる。よって、虫類による影響で設備を停止する時間を短縮化する上で有利となる。
【００２０】
請求項６に記載のように、前記防虫ストレーナのケーシングは、本体ケーシングと、この本体ケーシングに接続され前記空気洗浄手段が設けられる洗浄ケーシングとを有し、前記本体ケーシングと洗浄ケーシングとの間であって前記洗浄ケーシング側に防虫網が取り付けられ、前記本体ケーシングが前記ミストセパレータのケーシングと一体的に形成されていることが望ましい。
【００２１】
このようにすれば、洗浄ケーシングを取り外すだけで防虫網の交換ができ、本体ケーシングがミストセパレータのケーシングと一体的に形成されているので、構造がシンプルになる。
【発明の効果】
【００２２】
以上のように、本発明は、ガス供給ダクトの途中に、ケーシングに防虫網が取り付けられてなる防虫ストレーナを設けているので、下水処理場で発生した虫類が脱臭塔内に進入するのを防止することができる。また、防虫ストレーナのケーシングの上部に、防虫網を清掃可能である上部清掃口部を設けているので、防虫ストレーナを取り外さなくても、その上部清掃口部を通じて、防虫ストレーナの防虫網を清掃したり、捕集により集積した虫類を除去したりすることができる。
【発明を実施するための最良の形態】
【００２３】
以下、本発明の実施の形態を図面に沿って説明する。
【００２４】
図１は本発明の実施の形態に係る下水処理場における脱臭設備を示す説明図である。なお、前記脱臭設備の基本構造は、図６に示す従来設備と同じであるので、同一の構成要素については同一の符号を用い、その詳細な説明を省略する。
【００２５】
図１に示すように、本発明に係る脱臭設備１は、ガス供給ダクト３の途中、即ちミストセパレータ５と、その下流側に位置しダクト軸線方向に伸縮可能である伸縮ダクト６Ａとの間に、防虫ストレーナ１１が設けられている。つまり、伸縮ダクト６Ａに隣接して防虫ストレーナ１１が設けられている。防虫ストレーナ１は、ケーシング１２内に防虫網１３が交換可能に（取り外し可能に）取り付けられてなる。
【００２６】
防虫ストレーナ１１のケーシング１２は、図２（ａ）（ｂ）に示すように、上流側端部がミストセパレータ５に接続される本体ケーシング１２Ａと、この本体ケーシング１２Ａの下流側端部に上流側端部が接続される洗浄ケーシング１２Ｂとを有し、それらケーシング１２の間に、合成樹脂材料で形成される防虫網１３が交換可能に設けられている。ケーシング１２（本体ケーシング１２Ａ，洗浄ケーシング１２Ｂ）は、透明な塩化ビニル樹脂で所定の形状に成形されている。なお、ケーシング１２を透明な塩化ビニル樹脂で成形するのは、防虫網１３による虫類の捕獲状況をケーシング外部から透明部分を通じて目視することができるようにするためであるので、そのような目視をすることができれば、防虫網１３に対応する部分（一部）のみが透明になっている構成でも差し支えない。
【００２７】
また、洗浄ケーシング１２Ｂの外周縁には、図３（ａ）（ｂ）に示すように、正方形状のフランジ部１２Ｂａが形成され、そのフランジ部１２Ｂａに防虫網１３に対応する大きさの凹部１２Ｂｂが形成され、その凹部１２Ｂｂ内に、合成樹脂製の防虫網１３が嵌め込まれている。そして、その防虫網１３の外周縁を洗浄ケーシング１２Ｂに対して押さえ付けるように金属製の正方形枠状の押さえ板１４が適用され、ネジ１５（例えばプラスサラコネジ）でその状態に固定するようになっている。なお、防虫網１３，押さえ板１４及びねじ５は、凹部１２Ｂｂ内に収納され、フランジ部１２Ｂａの端面より突出していない。
【００２８】
ケーシング１２の通路部分全体に亘って防虫網１３の網目部分が位置するように防虫網１３全体が網目状に構成され、その周縁部には、図３（ｃ）に示すように、ねじ５が挿通される取付孔１３ａが設けられている。
【００２９】
洗浄ケーシング１２Ｂ内の上部には、図２（ａ）（ｂ）に示すように、配管２１（内部を圧縮空気が流れる塩化ビニル樹脂製の導管）が回転可能に設けられている。この配管２１は、臭気ガスの流れ方向に直交する方向に延び、複数の空気洗浄ノズル２７が一定間隔でもって設けられている。具体的には、配管２１には、図４に詳細を示すように、一定間隔で筒状部２１ａが設けられ、その筒状部２１ａの先端にノズル部材２８が取り付けられて、空気洗浄ノズル２７が構成される。
【００３０】
空気洗浄ノズル２７は、防虫網１３に対し臭気ガスの流れ方向の下流側から空気を吹き付けるようになっている。この空気の吹き付けによって、防虫網１３の上流側端面に付着している虫類が防虫網１３から無理なく落とされるようになっている。
【００３１】
また、配管２１の一端部は洗浄ケーシング１２Ｂの外部に突出し、ユニバーサルジョイント２２を介して、圧縮空気を供給する配管２３に接続されている。配管２３のユニバーサルジョイント２２付近には、手動式又は電磁式の開閉弁２４が設けられている。また、配管２１の、外部に突出した端部は、伝動機構２５を介してコントロールモータ２６に連係され、このモータ２６の回転駆動力によって配管２１が回転するようになっている。コントロールモータ２６は、本体ケーシング１２Ａの支持台２８上に支持されている。このようにして、防虫網１３の下流側から圧縮空気を吹き付けて、防虫網１３を洗浄する空気洗浄手段が構成される。
【００３２】
本体ケーシング１２Ａの上流側端部は、ミストセパレータ５に接続されている。洗浄ケーシング１２Ｂの下流側端部には、塩化ビニル樹脂製のたわみ継ぎ手２９を介して伸縮ダクト６Ａが接続される。本体ケーシング１２Ａと洗浄ケーシング１２Ｂとの結合を解除し、伸縮ダクト６Ａを圧縮することで、本体ケーシング１２Ａと洗浄ケーシング１２Ｂとの間に空間（隙間）が形成されるので、その状態で防虫網１３の交換を容易に行うことができる。
【００３３】
また、本体ケーシング１２Ａの下部には、下端になるほど断面積が小さくなり透明な塩化ビニル樹脂からなるシュート部３１が形成され、シュート部３１の下端に収納箱部３２が設けられている。一方、本体ケーシング１２Ａの上部には、掃除機、ブラシなどの清掃具にて清掃可能である筒状の上部清掃口部１２Ａａが設けられ、その上部清掃口部１２Ａａが蓋体３３にて開閉可能に閉塞される構成となっている。
【００３４】
収納箱部３２は、図５（ａ）（ｂ）に示すように、シュート部３１の下端に接続されシュート部３１の下端開口部と連通するケーシング３２Ａと、そのケーシング３２Ａ内に引き出し可能に挿入される収納箱３２Ｂとを有する。そして、防虫網１３にて進入を阻止されたり空気洗浄ノズル２７よりの空気の吹き付けによって落下したりした虫類は、シュート部３１に案内されて収納箱３２Ｂ内に落下し、集積（貯留）されることになる。
【００３５】
上記のように構成すれば、ガス供給ダクト３の途中に、防虫ストレーナ１１を設けているので、脱臭塔４内に虫類が進入するのが有効に防止される。また、脱臭塔４内の清掃は、作業者による手作業の場合でも、約３０分程度で清掃作業が完了し、防虫ストレーナを設けていない従来の場合に比べて脱臭設備全体の停止時間を大幅に短縮することができ、維持管理の向上になる。
【００３６】
また、防虫ストレーナ１１のケーシング１２を、透明の塩化ビニル樹脂を用いて形成しているので、防虫網１３による虫類の捕獲状況をケーシング１２の外部より、透明部分を通じて目視により的確に把握することができる。
【００３７】
防虫網１３の下流側より防虫網１３に対し空気洗浄ノズル２７を通じて圧縮空気を吹き付けて空気洗浄を適宜行うことで防虫網１３にて捕集された虫類が防虫網１３より取り除かれ、シュート部３１を通じて、下方に位置する収納箱部３２（収納箱３２Ｂ）内に落下して集積される。これにより、防虫網１３あるいは防虫ストレーナ１１をガス供給ダクト３から取り外すことなく、簡単に防虫網１３の清掃を実施することができる。また、このような空気洗浄ノズル２７を有する空気洗浄手段にて、防虫網１３全面を定期的にあるいは不定期的に自動洗浄することも可能である。
【００３８】
空気洗浄ノズル２７を有する配管２１は、コントロールモータ２６にて伝動機構２５を介して回転可能であるので、空気吹き付け角度を調整して、防虫網１３に対し一定の角度で圧縮空気を吹き付けることもできるし、防虫網１３に対し、一定の角度範囲で配管２１を往復回転させつつ圧縮空気を吹き付けるようにすることもできる。
【００３９】
また、空気洗浄ができない場合であっても、上部清掃口部１２Ａａより家庭用掃除機やブラシを適用することで、収納箱部３２に虫類を落とし込む清掃が可能である。
【００４０】
本体ケーシング１２Ａと洗浄ケーシング１２Ｂとの結合を解除し、伸縮ダクト６Ａを圧縮することで、本体ケーシング１２Ａと洗浄ケーシング１２Ｂとの間に空間を形成することができるので、防虫網１３の交換を簡単に行うことができる。
【００４１】
そして、防虫ストレーナ１１は、軽量コンパクトであるのに加えて、ケーシング１２の前後の接続部分は断面円形や断面矩形とすることができるので、汎用性に優れる。
【００４２】
前記実施の形態においては、ミストセパレータ５の下流側に防虫ストレーナ１１を設けているが、防虫ストレーナ１１を設けるのはその部分に制限されることなく、その他の部分に設置することも可能である。つまり、各下水処理場により設置条件は異なるので、その条件を満足するように、ガス供給ダクトの一部として適当な部分に設置することが可能である。
【００４３】
防虫ストレーナ１１のケーシング１２（本体ケーシング１２Ａ）を、ミストセパレータ５のケーシングと一体に形成することも可能である。
【図面の簡単な説明】
【００４４】
【図１】本発明の実施の形態に係る下水処理場における脱臭設備を示す説明図である。
【図２】本発明の実施の形態に係る防虫ストレーナを示し、（ａ）は正面図、（ｂ）は側面図である。
【図３】（ａ）（ｂ）はそれぞれ防虫網の取付部分を詳細に示す要部縦断面図及び正面図、（ｃ）は防虫網の正面図である。
【図４】空気洗浄ノズルの説明図である。
【図５】（ａ）（ｂ）はそれぞれ収納箱部の正面図及び側面図である。
【図６】従来の下水処理場における脱臭設備を示す説明図である。
【符号の説明】
【００４５】
１    脱臭設備
２    脱臭ファン
３    ガス供給ダクト
４    脱臭塔
５    ミストセパレータ
６Ａ    伸縮ダクト
６Ｂ    伸縮ダクト
１１    防虫ストレーナ
１２    ケーシング
１２Ａ    本体ケーシング
１２Ａａ    上部清掃口部
１２Ｂ    洗浄ケーシング
１３    防虫網
２１    配管
２１ａ    筒状部
２７    空気洗浄ノズル
２８    ノズル部材
３１    シュート部
３２    収納箱部
３２Ａ    ケーシング
３２Ｂ    収納箱
【図１】
2005214378.tif 000003
【図２】
2005214378.tif 000004
【図３】
2005214378.tif 000005
【図４】
2005214378.tif 000006
【図５】
2005214378.tif 000007
【図６】
2005214378.tif 000008